(57)【要約】【課題】ケシ珠の様な小さい装飾材は多連でボリュームを出してネックレスやブレスレットに代表される紐状装身具として製品化することが多いため連結具に組み付ける場合１本ずつ連結具の丸環に結んでいくという作行わなければならず熟練と時間がかかると言う問題がある。【解決手段】装飾材の孔を通る連繋索を数本まとめてＨ型形状パイプに左右とも通し、その先端をまとめて結ぶなどの固定をした束を作り、連結具両端面の板部にある十字型の溝の中央から前述で作った束のＨ型形状パイプの凹み部を通して外側にスライドさせていくと抜けなくなる機構で、溝の数だけ順次通した後、中央からネジで固定することにより装飾材と連結具が完全に結合される構造を持つことから装飾材の交換やボリュームの調整、連結具本体の交換作業も簡単に時間をかけずに誰でも同一の作業ができると言う上記課題を解決したものである。【選択図】図１
2008149062.tif 000002
【特許請求の範囲】
【請求項１】
糸に代表される連繋索に貫通孔のあるケシ珠のような小さい真珠やその他の装飾材を連通しして、それを１
本または数本をまとめて両端の連繋索部をＨ型形状のパイプに通して一緒に結び、又はカシメて固定した束を
作ることで構成されることを特徴とする装身具用連結具。
【請求項２】
紐状装身具に使用される連結具であって金具となる連結具本体の両端面にはスリット状の溝が開いており、
その溝に装飾材を固定した請求項１からなる束の両端にあるＨ型形状のパイプの凹み部を溝に中央から外側に
スライドさせてはめ込むことで抜けなくすることが出来ることを特徴とする装身具用連結具。
【請求項３】
紐状装身具に使用される連結具であって金具となる連結具本体部と請求項１からなる両端をＨ型形状のパイ
プで固定された装飾材が請求項２の様にＨ型形状のパイプを連結具両端面の各溝に配置した状態で、連結具両
端面の中央部の開口部にＨ型形状のパイプ脱落防止用固定パイプを挿入してネジでそれを留めることにより装
飾材と連結具が簡単に連結、分離する機能を備え、組み付け、交換、他種素材との組み換え作業を時間をかけ
ずに誰にでも簡単にできることを特徴とする装身具用連結具。
【発明の詳細な説明】
【技術分野】
【０００１】
本発明は、多連の装飾材と金具本体の連結固定が簡単な金具に関する。
【背景技術】
【０００２】
従来、ケシ珠のような小さい真珠やその他の装飾材を多連に繋げる紐状装身具は、装飾材の孔を通る合成繊
維糸などの連繋索を連結具に付いた丸環に通して折り返し、また３つほどの装飾材の孔を通し返して結びつけ
るという作業を行う。
【０００３】
この糸などの連繋索に装飾材を通したものを連と呼び、ケシ珠のような小さい装飾材はこの連を複数、連結
具に結びつることによりボリュームのある多連ネックレスとして完成するが、２０連のネックレスを製作する
場合は両端で４０回も結びつける作業を行わなければならない。
【０００４】
この作業は時間がかかる上、ある程度の経験者でないと難しい作業であり、連結具の不良があった場合や気
に入った連結具と交換する場合など、連結具を付け直しをする場合にも全部切断して再度同じ作業を繰り返さ
なければならない。
【０００５】
糸やワイヤーを繋ぎ止める連結具としては種々のものがこれまでに提案されている。
【０００６】
糸やワイヤーを繋ぎ止める連結具の一般的な例として、実願平７−２２６３号公報（特許文献１）に記載され
ている。
【特許文献１】実願平７−２２６３号公報
【発明の開示】
【発明が解決しようとする課題】
【０００７】
ネックレスやブレスレットに代表される紐状装身具に付いている連結具に多連の装飾材を取り付ける場合、
糸を１本１本丸環に結びつけるという作業を改善し、熟練を要せず誰にでも組み付け作業を簡単にし、連数の
バリエーションも簡単に変更することの出来る多連装飾材用連結具を提供することにある。
【課題を解決するための手段】
【０００８】
本発明は糸の通ったケシ珠など小さい装飾材を数本まとめてＨ型形状のパイプに通してまとめて結ぶと言う
作業を両端とも行い、例えば４本、５本、６本の束を作っていく。
【０００９】
上記で出来た束の末端にあるＨ型形状のパイプを連結具本体の端面にある溝に、中央から挿入して溝を通し
て溝の端までつめる。これを溝数分挿入して中央の穴をパイプとネジで固定する。これにより装飾材を通した
束と連結具本体の組み付けは完了する。
【発明の効果】
【００１０】
金具となる連結具本体へ数本にまとめた連の組み付け作業が熟練を要せず誰にでも簡単に短時間でできるよ
うになり、見栄えも従来の多連ネックレスの連結具と変わらない。
【００１１】
Ｈ型形状のパイプの凹み部が溝にかかっているため外部からの力により容易に脱落することがなく、外観も
良いことから連結具端面の溝を共通仕様にすることで連結具本体の外観をいろいろなデザインのバリエーショ
ンを増やすことが可能である。
【００１２】
また、連結具本体の溝数を変更したり、１束内の本数を変更することで組み合わせによりいろいろな多連数
のバリエーションを作ることが出来たり、他の装飾材との組み合わせも簡単に可能である。
【００１３】
例として、連結具端面の溝が４つで、１束の連数を４連束、５連束、６連束とすると、１つの連結具で１６
連から２４連までのバリエーションを作ることが出来き、小売店舗での組み付け作業が可能であるためお客様
の要望に合わせて連数や連結具を変更することが出来ることで、より選択肢が増やすことが出来る。
【発明を実施するための最良の形態】
【００１４】
装飾部材を通した連繋索の両端にＨ型形状のパイプを固定できるのであれば連繋索として合成繊維糸、ステ
ンレスワイヤ、超弾性形状記憶合金、金ワイヤ、テグス、樹脂ワイヤ、ゴム紐、革紐などが可能であり、また、
装飾部材として使用されているものは真珠のけし珠、あこや真珠や黒蝶真珠、白蝶真珠、淡水真珠、マベ真珠、
水晶などの宝石、またはキュービックジルコニアやクリスタルガラス、金属等装飾部材などを組み合わせて多
連のネックレスやブレスレットおよび数珠などに対し、連結具への組み付けが簡単な装身具を製作する。
【実施例１】
【００１５】
実施例として２０連のケシ珠のネックレスを例に説明する。図１は連結具本体１にケシ珠２を通した連珠体
２０連を結合して完成した状態である。連結具端面から出るケシ珠に以前連結具と比較しても違和感はない。
【００１６】
まず、装飾材であるケシ珠２の束ね方について説明する。
図２はＨ型形状パイプ３と連繋索に通したケシ珠２である。図２の場合ではケシ珠を５本分連繋索である糸の
先端をまとめてＨ型形状パイプ３の孔３ｂに通す。
【００１７】
図３は連繋索の両端をＨ型形状パイプ３に通した後２ａの様に結んで固定し、一つの束にした状態である。
【００１８】
図４は４連束、５連束、６連束と用意することで束の組み合わせにより溝板部４の溝が４箇所の場合１６連
から２４連まで多連のバリエーションとして組み付けることが出来る。
【００１９】
次に連結具本体１の構造について説明する。
図５は連結具は端面の溝板はＨ型形状パイプ３が入る溝のタイプが内側と外側で２種類が可能であり、これは
素材の形状などにより変更することが可能であると同時に溝板部の溝数の変更により連数の変更も可能である。
これにより装飾材の種類や形状に合わせて束か、溝板で連数を変更することが可能となりバリエーションの幅
も広がる。
【００２０】
図６は、内側に溝のあるＡパターンの連結具の分解図である。
組み立て方として連結具本体枠１に溝板部４の雌ネジ固定バー４ｃに溝板誘導爪１ａまで挿入し、溝板部４の周
りをろう付けする。Ｈ型形状パイプ３は溝板部４の溝である溝部４ａに中央からＨ型形状パイプ３の凹み部３ａ
を溝部４ａに沿って端まで挿入する。溝板の溝の内面が凹みに入り込んでいる状態であるため抜けることはない。
４箇所の溝部４ａにＨ型形状パイプ３を全部挿入したら脱落防止用固定パイプ５を中央に差し込むことでＨ型形
状パイプ３が中央に移動することを防ぐ。その脱落防止用固定パイプ５を固定用ネジ６で雌ネジ部４ｂにしっか
り固定することでＨ型形状パイプ３が抜けることがなくなる。
【００２１】
図７は固定した状態の断面図を示す。
【００２２】
実際にはケシ珠が付いたＨ型形状パイプ３を挿入し、固定することで連結具が完成する。
【００２３】
装飾材を交換する場合は、逆に固定用ネジ７を外し、脱落防止用固定パイプ６を引き抜き、所定のＨ型形状パ
イプ３を溝に沿って中央から引き抜くことで交換が可能となる。
【００２４】
図８は、外側に溝のあるＢパターンの連結具の分解図である。
組み立て方として溝板部４にＨ型形状パイプ３を挿入する。溝板の溝の内面が凹みに入り込んでいる状態である
ため抜けることはない。そのまま回転防止用ピン４ｄを連結具本体枠１の溝板誘導爪１ａまで挿入して位置を合
わせる。その後、固定用ネジ６で溝板部４の中心穴４ｆを通して雌ネジ部１ｂにしっかり固定することでＨ型形
状パイプ３が抜けることがなくなる。
【００２５】
図９は固定した状態の断面図を示す。
【００２６】
実際にはケシ珠が付いたＨ型形状パイプ３を挿入し、固定することで連結具が完成する。
【００２７】
装飾材を交換する場合は、逆に固定用ネジ６を緩めて外し、溝板部４を外し、所定のＨ型形状パイプ３を溝に
沿って抜くことで交換が可能となる。
【産業上の利用可能性】
【００２８】
この発明は、ネックレス、ブレスレット、数珠、などの装身具において連結具または装飾材の交換が簡便であ
ることから交換作業がスムーズに行える。よって金具不良による交換があった場合は交換用連結具があればその
場で交換が可能であり、交換作業にかかる時間の大幅な短縮が可能である。
また、同じ装飾材以外の装飾材との組み合わせも可能で小売店舗や展示会等でその場で気に入った装飾材、また
は連数を選定した後に連結具を組み合わせることで、その場で上記の装身具を完成させることが可能である。
【図面の簡単な説明】
【００２９】
【図１】本案考案連結具と装飾材の斜面図
【図２】Ｈ型形状パイプと装飾材の斜面図
【図３】装飾材を束にしてＨ型形状パイプで固定したときの状態図
【図４】装飾材の一束のパターン図
【図５】溝板の溝パターン図
【図６】本案考案Ａパターン連結具の分解時の斜視図
【図７】本案考案Ａパターン連結具の断面図
【図８】本案考案Ｂパターン連結具の分解時の斜視図
【図９】本案考案Ｂパターン連結具の断面図
【符号の説明】
【００３０】
１    連結具本体
１ａ  溝板誘導爪
１ｂ  雌ネジ部（Ｂタイプ）
２    装飾材（例：ケシ珠）
２ａ  連繋索（例：合成繊維糸）
２ｂ  連繋索の結び目
３    Ｈ型形状パイプ
３ａ  Ｈ型形状パイプ凹み部
３ｂ  連繋索を通す孔
４    溝板部
４ａ  溝部
４ｂ  雌ネジ部（Ａタイプ）
４ｃ  雌ネジ固定バー
４ｄ  回転防止用ピン
４ｆ  中心穴
５    脱落防止用固定パイプ
６    固定用ネジ
【図１】
2008149062.tif 000003
【図２】
2008149062.tif 000004
【図３】
2008149062.tif 000005
【図４】
2008149062.tif 000006
【図５】
2008149062.tif 000007
【図６】
2008149062.tif 000008
【図７】
2008149062.tif 000009
【図８】
2008149062.tif 000010
【図９】
2008149062.tif 000011